(57)【要約】      （修正有）【課題】染め液を貯留した複数の染容器を装着して眉を染めたり、アイラインなど付けたりするときなどに使用する。【解決手段】染め液容器保持具１は、指輪２の上面に複数の容器受け３ａ〜３ｃを設け、容器受けに染め液を貯留した染容器４ａ〜４ｃを着脱可能にし、複数の容器受けは、染め液の使用頻度順に指輪２の輪軸方向に沿って配置した。また、染め液容器保持具１は、指輪２の上面に複数の容器受けを設け、容器受けに染め液を貯留した染容器を着脱可能にし、複数の容器受けを、染め液の使用頻度順に応じて一体に回転して位置を変化可能にした。【選択図】図４
0003135712.tif 000002
【実用新案登録請求の範囲】
【請求項１】
指輪の上面に複数の容器受けを、前記指輪の輪軸方向に沿って設け、
前記容器受けに染め液を貯留した染容器を、着脱可能にし、
前記複数の染容器を、染め液の使用頻度順に前記指輪の輪軸方向に沿って配置したことを特徴とする染め液容器保持具。
【請求項２】
指輪の上面に複数の容器受けを、一体に回転可能に設け、
前記容器受けに染め液を貯留した染容器を、着脱可能にし、
前記複数の染容器を、染め液の使用頻度順に応じて一体に回転して位置を変化可能にしたことを特徴とする染め液容器保持具。
【考案の詳細な説明】
【技術分野】
【０００１】
この考案は、指輪に設けられた複数の容器受けに、染め液を貯留した染容器を装着して眉を染めたり、アイラインなど付けたりするときなどに使用する染め液容器保持具に関する。
【背景技術】
【０００２】
従来、眉を染めたり、アイラインなど付けたりするときなどには、染め液を貯留した染容器を左手で持って、右手に針などを持って染容器の染め液に針などを付け、針などによって顧客の眉を染めたり、アイラインなど付けていた。
【０００３】
また、指輪に固定された筆記具があり、このものは常備携帯して、各指に装着して使用される（特許文献１）。このものは、左右各指に装着したままで他の作業が行え、その作業を継続中必要に応じて、書く、描く、チェックマークを付す等の筆記作業が即座に行え、装着、取り付けが容易で且つ快適な使用を実現することができるようになっている。
【特許文献１】特開２０００−２２５７９６
【考案の開示】
【考案が解決しようとする課題】
【０００４】
このように、眉を染めたり、アイラインなど付けたりするときなどには、染め液を貯留した染容器を左手で持っているが、染容器が小さく、あるいは種々の色の染め液を使用するために、いちいち手で持ち代えるには面倒で、かつ作業性が悪い。このため、例えば特許文献１の筆記用具にかえて指輪に染容器を取り付けることが考えられるが、特に使用する染め液の色が多く、また顧客によって色が異なるために単に筆記用具を指輪に取り付けるだけでは実際に使用することができない。
【０００５】
この考案は、かかる点に鑑みてなされたもので、染め液を貯留した複数の染容器を装着して眉を染めたり、アイラインなど付けたりするときなどに使用することが可能な染め液容器保持具を提供することを目的としている。
【課題を解決するための手段】
【０００６】
前記課題を解決し、かつ目的を達成するために、この考案は、以下のように構成した。
請求項１に記載の考案は、指輪の上面に複数の容器受けを、前記指輪の輪軸方向に沿って設け、
前記容器受けに染め液を貯留した染容器を、着脱可能にし、
前記複数の染容器を、染め液の使用頻度順に前記指輪の輪軸方向に沿って配置したことを特徴とする染め液容器保持具である。
【０００７】
請求項２に記載の考案は、指輪の上面に複数の容器受けを、一体に回転可能に設け、
前記容器受けに染め液を貯留した染容器を、着脱可能にし、
前記複数の染容器を、染め液の使用頻度順に応じて一体に回転して位置を変化可能にしたことを特徴とする染め液容器保持具である。
【考案の効果】
【０００８】
前記構成により、この考案は、以下のような効果を有する。
【０００９】
請求項１に記載の考案では、複数の染容器を、染め液の使用頻度順に指輪の輪軸方向に沿って配置したから、例えば、左手に指輪をし、右手に針などを持って染容器の染め液に針などを付け、針などによって顧客の眉を染めたり、アイラインなど付けるときに、使用頻度の多いい色の染め液を貯留した染容器が右手に近い位置にあり、作業が容易である。
【００１０】
請求項２に記載の考案では、複数の染容器を、染め液の使用頻度順に応じて一体に回転して位置を変化可能にしたから、例えば、左手に指輪をし、右手に針などを持って染容器の染め液に針などを付け、針などによって顧客の眉を染めたり、アイラインなど付けるときに、複数の染容器を回転して使用頻度の多いい色の染め液を貯留した染容器を右手に近い位置することができ、作業が容易である。
【考案を実施するための最良の形態】
【００１１】
以下、この考案の染め液容器保持具の実施の形態について説明する。この考案の実施の形態は、考案の最も好ましい形態を示すものであり、この考案はこれに限定されない。
【００１２】
［第１の実施の形態］
この実施の形態を、図１乃至図４に基づいて説明する、図１は染め液容器保持具の指輪側から見た斜視図、図２は染め液容器保持具の容器受け側から見た斜視図、図３は染容器を装着した状態の斜視図、図４は染め液容器保持具の使用状態を示す斜視図である。
【００１３】
この実施の形態の染め液容器保持具１は、指輪２の上面に３個の容器受け３ａ〜３ｃを設けているが、２個でも、４個でも良く、複数であれば良い。この指輪２は弾性変形可能な金属で形成され手いるが、金属でなくても樹脂などでもよく。また、指輪２の構造は特に限定されないが、一部に切り欠２ａが形成され、種々の大きさの指に嵌めることができようになっている。
【００１４】
この３個の容器受け３ａ〜３ｃは、染め液の使用頻度順に指輪２の輪軸方向に沿って配置されている。この容器受け３ａ〜３ｃには、それぞれ染め液を貯留した染容器４ａ〜４ｃが着脱可能になっている。例えば、染容器４ａには、赤色の染め液が貯留され、染容器４ｂには、青色の染め液が貯留され、染容器４ｃには、黄色の染め液が貯留されるが、これに限定されない。また、容器受け３ａ〜３ｃの形状も、円形カップ状となっているが、楕円形状、あるいは六角形状などでも良い。染容器４ａ〜４ｃの形状も容器受け３ａ〜３ｃに着脱可能であれば特に限定されない。
【００１５】
この実施の形態の染め液容器保持具１の使用は、図４（ａ）に示すように、例えば、左手の中指に指輪２を嵌める。この状態で、図４（ｂ）に示すように、指輪２の上面に設けた容器受け３ａ〜３ｃに染容器４ａ〜４ｃを取り付け、これにより染め液の使用頻度順に指輪２の輪軸方向に沿って配置され、右手に近い側が容器受け３ａ〜３ｃとなる。
【００１６】
したがって、容器受け３ａ〜３ｃに、例えばそれぞれ染め液を貯留した染容器４ａ〜４ｃを取り付ける。このように、例えば、左手に指輪２をした状態で、右手に針などを持って染容器４ａ〜４ｃの染め液に針などを付け、針などによって顧客の眉を染めたり、アイラインなど付ける。このとき、使用頻度の多いい色の染め液を貯留した染容器４ａ〜４ｃが右手に近い位置にあり、作業が容易である。
【００１７】
［第２の実施の形態］
この実施の形態を、図５乃至図８に基づいて説明する。図５は染め液容器保持具の指輪側から見た斜視図、図６は染め液容器保持具の容器受け側から見た斜視図、図７は染容器を装着した状態の斜視図、図８は染め液容器保持具の使用状態を示す斜視図である。
【００１８】
この実施の形態では、図１乃至図４に示す第１の実施の形態と同じ構成は、同じ符号を付して説明を省略する。この実施の形態の染め液容器保持具１では、指輪２の上面に３個の容器受け３ａ〜３ｃを設け、この容器受け３ａ〜３ｃにそれぞれ染め液を貯留した染容器４ａ〜４ｃを着脱可能にしているが、３個の容器受け３ａ〜３ｃは、一体にし、この一体にした容器受け３ａ〜３ｃの底部が支持ピン１０を支点に回転可能になっている。この一体にした容器受け３ａ〜３ｃの底部を回転可能にする構造は、支持ピン１０を指輪２側に固定して設けても、あるいは容器受け３ａ〜３ｃの底部側に固定して設けても良く、更に支持ピン１０に限定されず回転可能な構造であればよい。
【００１９】
このようにして、染容器４ａ〜４ｃを取り付けた容器受け３ａ〜３ｃが、染め液の使用頻度順に応じて一体に回転して位置を変化可能になっている。
【００２０】
この実施の形態の染め液容器保持具１の使用は、図８（ａ）に示すように、例えば、左手の中指に指輪２を嵌める。この状態では、指輪２の上面に設けた容器受け３ａ〜３ｃは、染め液の使用頻度順に指輪２の輪軸方向に沿って配置されているから、右手に近い側が容器受け３ａ〜３ｃとなる。
【００２１】
したがって、容器受け３ａ〜３ｃに、例えばそれぞれ染め液を貯留した染容器４ａ〜４ｃを取り付ける。このように、例えば、左手に指輪２をした状態で、右手に針などを持って染容器４ａ〜４ｃの染め液に針などを付け、針などによって顧客の眉を染めたり、アイラインなど付ける。このとき、使用頻度の多いい色の染め液を貯留した染容器４ａ〜４ｃが右手に近い位置になるように、容器受け３ａ〜３ｃを、染め液の使用頻度順に応じて一体に回転して位置を変化させる。このように、作業時に手で複数の容器受け３ａ〜３ｃを回転することで、使用頻度の多いい色の染め液を貯留した染容器４ａ〜４ｃを右手に近い位置することができ、作業が容易である。
【産業上の利用可能性】
【００２２】
この考案は、指輪に設けられた複数の容器受けに、染め液を貯留した染容器を装着して眉を染めたり、アイラインなど付けたりするときなどに使用する染め液容器保持具に適用可能であり、染め液を貯留した複数の染容器を装着して眉を染めたり、アイラインなど付けたりするときなどに使用することが可能である。
【図面の簡単な説明】
【００２３】
【図１】第１の実施の形態の染め液容器保持具の指輪側から見た斜視図である。
【図２】第１の実施の形態の染め液容器保持具の容器受け側から見た斜視図である。
【図３】第１の実施の形態の染容器を装着した状態の斜視図である。
【図４】第１の実施の形態の染め液容器保持具の使用状態を示す斜視図である。
【図５】第２の実施の形態の染め液容器保持具の指輪側から見た斜視図である。
【図６】第２の実施の形態の染め液容器保持具の容器受け側から見た斜視図である。
【図７】第２の実施の形態の染容器を装着した状態の斜視図である。
【図８】第２の実施の形態の染め液容器保持具の使用状態を示す斜視図である。
【符号の説明】
【００２４】
１ 染め液容器保持具
２ 指輪
３ａ〜３ｃ 容器受け
４ａ〜４ｃ 染容器
10 支持ピン
【図１】
0003135712.tif 000003
【図２】
0003135712.tif 000004
【図３】
0003135712.tif 000005
【図４】
0003135712.tif 000006
【図５】
0003135712.tif 000007
【図６】
0003135712.tif 000008
【図７】
0003135712.tif 000009
【図８】
0003135712.tif 000010